(57)【特許請求の範囲】
【請求項１】
消火剤が流入する一次側接続口と、前記一次側接続口に連通し、消火剤が流出する二次側接続口を有する本体部と、
前記一次側接続口と前記二次側接続口の間を塞ぐ弁体と、
熱を感知すると前記弁体を開放して、前記一次側接続口と前記二次側接続口の間を連通
させる感熱部と、
前記感熱部の周囲に設けられたフレームと、を備え、スプリンクラヘッドを有さない感熱開放継手であって、
前記二次側接続口は前記一次側接続口の側方に設けられ、
前記一次側接続口と前記感熱部を結ぶ軸である第一軸の直角方向に対して、前記二次側接続口の軸である第二軸の方向は、前記一次側接続口の側に向かって傾斜しており、
前記本体部において前記フレームが取り付けられた部分の外周と前記第一軸の間の距離は、前記二次側接続口における前記本体部の最外部と前記第一軸の間の距離よりも小さいことを特徴とする
感熱開放継手。
【請求項２】
前記二次側接続口は複数設けられ、
複数の前記第二軸は、前記第一軸の所定の位置で交差することを特徴とする
請求項１に記載の感熱開放継手。
【請求項３】
前記第一軸と前記第二軸がなす角度は、５０乃至７０度であることを特徴とする
請求項１または２に記載の感熱開放継手。
【発明の詳細な説明】
【技術分野】
【０００１】
本発明は、天井に設ける消火設備に関するものである。
【背景技術】
【０００２】
感熱開放継手は、消火剤が供給される消火配管とスプリンクラヘッドに接続された消火配管との間に設けられ、熱を感知して消火剤をスプリンクラヘッドへ供給する継手である。火災の際に熱せられた空気は空間内の上部を伝わる。そのため、地下駐車場のように天井がなく、空間上部にダクトや配管が剥き出しで設置されている施設に感熱開放継手を設ける場合には、特許文献１のように感熱部を上に向けて取り付けて用いられる。しかし居室のように天井板がある施設では、消火配管等を天井板の上側に設置することになる。そして、火災の際に熱せられた空気は天井板の下面に沿って広がるため、特許文献２の図６のように、下方に向けた感熱部を天井板の下に突出させて設置する必要がある。
【０００３】
図４は、従来例における感熱開放継手１０１が天井１３に設置された状態を示す。感熱開放継手１０１は、取り付け状態で消火剤が流入する一次側接続口１１１を上方に、二次側接続口１１２を側方に、感熱部１２０を下方に備えている。一次配管９は、消火剤が流入する消火配管であり、一次側接続口１１１に接続されている。感熱開放継手１０１は天井裏にある図示しない固定構造により上階の床スラブ等に固定されている。
【先行技術文献】
【特許文献】
【０００４】
【特許文献１】特開２００４−１６０１６１号公報
【特許文献２】特開２００６−３０５３７６号公報
【発明の概要】
【発明が解決しようとする課題】
【０００５】
図４のように、天井１３は一般的に、天井板１３１の上側である天井裏に、天井板１３１を取り付ける野縁１３２と、野縁１３２を取り付ける野縁受け（図示せず）を備えている。そして、上階の床スラブ下面である天井裏上面１５等から吊り木（図示せず）等で野縁受けを吊り下げている。感熱開放継手１０１を設置したときに、図４のように二次側接続口１１２の近くに野縁１３２等が配置されてしまうと、放出口であるスプリンクラヘッドに消火剤を供給する二次配管を二次側接続口１１２に取り付けることができない。そのため、感熱開放継手１０１を野縁１３２がない場所に設置して、野縁１３２や野縁受けに二次側接続口１１２からの二次配管と干渉しないようにせねばならず、感熱開放継手１０１の設置位置が制約されてしまう。
【０００６】
感熱開放継手１０１の設置位置が制約されないように、二次側接続口１１２と感熱部１２０の間を長くして二次側接続口１１２の位置を高くして野縁１３２を避けると、感熱開放継手１０１が大きくなってしまう。さらに、一次側接続口１１１の位置が高くなるため、図４のように天井板１３１と天井裏上面１５の間が狭い天井裏の場合には、一次配管９が天井裏上面１５と干渉して、感熱開放継手１０１を設置することができない。
【課題を解決するための手段】
【０００７】
本発明は、上述した課題を解決するためのものであり、以下の構成を有する。
【０００８】
（１）本発明は、消火剤が流入する一次側接続口と、前記一次側接続口に連通し、消火剤が流出する二次側接続口と、前記一次側接続口と前記二次側接続口の間を塞ぐ弁体と、熱を感知すると前記弁体を開放して、前記一次側接続口と前記二次側接続口を連通させる感熱部と、を備えた感熱開放継手であって、前記二次側接続口は前記一次側接続口の側方に設けられ、前記一次側接続口と前記感熱部を結ぶ軸である第一軸の直角方向に対して、前記二次側接続口の軸である第二軸の方向は、前記一次側接続口の側に向かって傾斜していることを特徴とする感熱開放継手である。
【０００９】
本発明によって、天井板の上にある野縁等を避けて放出口であるスプリンクラヘッドに配管できる。また、一次側接続口の位置が高くならないため、天井裏上面と天井板の間が狭い天井裏であっても感熱開放継手を設置することができる。
【００１０】
（２）また、本発明は、前記二次側接続口は複数設けられ、複数の前記第二軸は、前記第一軸の所定の位置で交差することを特徴とする（１）に記載の感熱開放継手である。
この交差は感熱開放継手を横から見た際に第一軸の所定の位置で交差していればよく、たとえば、複数の第二軸がねじれの位置にあってもよい。
【００１１】
本発明によって、分岐部品を用いることなく複数のスプリンクラヘッドに消火剤を送出することができる。また、複数の第二軸が第一軸の同じ位置で交差するので、たとえば第一軸との交差角度が同じ複数の第二軸を有した感熱開放継手は、一次側接続口から感熱部までの長さが抑えられる。
【００１２】
（３）また、本発明は、複数の前記二次側接続口は、前記第一軸に対称に設けられていることを特徴とする（２）に記載の感熱開放継手である。
【００１３】
本発明によって、消火剤が感熱開放継手の中を通る際、流れによって感熱開放継手に加わる横方向の力が、前記二次側接続口が対称に設けられていることによって相殺され、感熱時に感熱開放継手が安定する。
【００１４】
（４）また、本発明は、前記第一軸と前記第二軸がなす角度は、５０乃至７０度であることを特徴とする（１）乃至（３）のいずれかに記載の感熱開放継手である。
【発明の効果】
【００１５】
本発明によれば、二次側接続口の軸の方向を斜めに配置したことにより、感熱開放継手に取り付ける二次配管は天井板上部の野縁等を避けてスプリンクラヘッドへ配管しやすい。その結果、設置位置の自由度が高い感熱開放継手を提供することができる。
【図面の簡単な説明】
【００１６】
【図１】本発明の実施形態における感熱開放継手１の外面図。
【図２】本発明の実施形態における感熱開放継手１の断面図。
【図３】本発明の実施形態における感熱開放継手１を天井１３に設置した状態を示す図。
【図４】従来例における感熱開放継手１０１が天井１３に設置された状態を示す図。
【発明を実施するための形態】
【００１７】
以下、本発明の実施の形態を、図面に基づいて説明する。ただし、以下で説明する本実施形態は、あらゆる点において本発明の例示に過ぎない。本発明の範囲を逸脱することなく種々の改良や変形が行われてもよい。つまり、本発明の実施にあたって、実施形態に応じた具体的構成が適宜採用されてもよい。また以下では、感熱開放継手１の設置状態での方向と図面での方向により、各構成の位置関係等を記述する。
【００１８】
図１は、本発明の実施形態における感熱開放継手１の外面図である。図１（ａ）は天井１３への設置状態における感熱開放継手１の上面図、図１（ｂ）は側面図を表す。
感熱開放継手１を上面から見ると、図１（ａ）に示すように、一次側接続口２１の側方である周囲に４つの二次側接続口２２ａ，２２ｂ，２２ｃ，２２ｄが設けられている。また、側面から見ると、図１（ｂ）に示されるように一次側接続口２１が上方を向くのに対して、二次側接続口２２ａ，２２ｂ，２２ｃ，２２ｄは斜め上方を向いている。感熱開放継手１は下部に感熱部であるグラスバルブ５を備えている。
【００１９】
一次側接続口２１には一次配管９が取り付けられて消火剤が流入する。また、二次側接続口２２ａ，２２ｂ，２２ｃ，２２ｄには後述の二次配管１０ａ等（図３）が取り付けられて消火剤を流出し、スプリンクラヘッドへ消火剤を供給する。
【００２０】
図２は、本発明の実施形態における感熱開放継手の断面図であり、図１（ａ）のＡ−Ａ線の位置で切断して側方から見た状態を表す。本体部２には一次側接続口２１と二次側接続口２２ａ，２２ｂ，２２ｃ，２２ｄが設けられ、弁体３がない状態では互いにつながっている。二次側接続口２２ｂは図２の手前側に設けられ、二次側接続口２２ｄは奥側に設けられているが、図２は側方切断面図であるため表示されていない。一次側接続口２１の下には弁体３が設けられている。弁体３は、ピストン４の上端の凸部に銅製でリング状の皿バネ３１をはめ込んで構成されており、ピストン４が上部に押圧されることにより皿バネ３１が本体部２の弁座２４に押しつけられて一次側接続口２１と二次側接続口２２ａ，２２ｂ，２２ｃ，２２ｄの間の経路を閉鎖する。フレーム７にはピストン孔７１が設けられ、ピストン４が挿入されている。フレーム７とピストン４は金属製であり、ピストン４とピストン孔７１との間の大部分において隙間を設けて張り付きが生じないようにしている。ピストン４の下には感熱部であるグラスバルブ５が設けられている。グラスバルブ５はガラス管にアルコールを封印したものであり、熱によりアルコールが膨張してガラス管を割る感熱部である。本体部２の下方にはフレーム挿入口２３が設けられており、フレーム７がねじ込まれて固定されている。フレーム７の下部は板状のアーム７２になっており下端に固定ネジ６がねじ込まれている。そして、アーム７２の内側のグラスバルブ５を固定ネジ６で固定している。アーム７２の外側には保護カバー８が設けられている。保護カバー８はグラスバルブ５に物等が衝突しないよう保護するためのものであり、本体部２の下端に固定されている。
【００２１】
また図２において、一点鎖線で示す第一軸２１０は、一次側接続口２１と感熱部であるグラスバルブ５を結ぶ軸であり、第二軸２２０ａ，２２０ｃは、二次側接続口２２ａ，２２ｃの軸である。第二軸２２０ａ，２２０ｃの方向は第一軸２１０の直角方向から一次側接続口２１の側に向かって傾斜しており、二次側接続口２２ａ，２２ｃは斜め上を向いている。また、一次側接続口２１は上を向いている。そして、複数の第二軸２２０ａ，２２０ｃは、第一軸２１０の所定の位置Ｃで交差している。なお、表示されていない二次側接続口２２ｂ，２２ｄと、その第二軸２２０ｂ，２２０ｄについても同様である。二次側接続口２２ａと２２ｃ，及び２２ｂと，２２ｄはそれぞれ第一軸２１０に対称に設けられており、その傾斜角である第二軸２２０ａと第一軸２１０，第二軸２２０ｂと第一軸２１０，第二軸２２０ｃと第一軸２１０，第二軸２２０ｄと第一軸２１０の角度は全て等しい。
【００２２】
次に、感熱開放継手１の動作について説明する。
火災が発生する前の監視時において、グラスバルブ５は固定ネジ６で押し上げられてピストン４を支え、ピストン４の上端と皿バネ３１からなる弁体３を押し上げている。そして、弁体３は上方に位置して皿バネ３１を本体部２に押しつけ、一次側接続口２１と二次側接続口２２ａ，２２ｂ，２２ｃ，２２ｄの間の経路を閉鎖している。
【００２３】
火災による熱を感知する作動時においては、グラスバルブ５が一定以上の温度になって内部のアルコールが膨張し、グラスバルブ５が割れる。これによりピストン４は支えがなくなり、一次側接続口２１から弁体３に伝わる消火剤の圧力とピストン４の重さにより、弁体３とともに下方へ移動して弁体３を開放し、一次側接続口２１と二次側接続口２２ａ，２２ｂ，２２ｃ，２２ｄの間を連通する。その結果、消火剤が一次側接続口２１から流入し、二次側接続口２２ａ，２２ｂ，２２ｃ，２２ｄから流出して、二次配管１０ａ，１０ｂ，１０ｃ，１０ｄを介して各スプリンクラヘッド１１ａ，１１ｂ，１１ｃ，１１ｄへ供給され、散布により火災を消火する。
【００２４】
次に、感熱開放継手１の設置状態について説明する。
図３は、本発明の実施形態における感熱開放継手１を天井１３に設置した状態を示す図である。天井板１３１等は断面で表記されている。なお、図３においては、感熱開放継手１の手前側にある二次側接続口２２ｂ、二次配管１０ｂ及びスプリンクラヘッド１１ｂの記載を省略している。また、図３の奥側の二次側接続口２２ｄ、二次配管１０ｄ及びスプリンクラヘッド１１ｄは、感熱開放継手１等に隠れているため記載されていない。
【００２５】
天井板１３１と天井裏上面１５の間の空間において、感熱開放継手１は図示しない固定部材により固定され、一次側接続口２１で一次配管９と接続し、二次側接続口２２ａ，２２ｂ，２２ｃ，２２ｄで二次配管１０ａ，１０ｂ，１０ｃ，１０ｄと接続している。そして、二次配管１０ａ，１０ｂ，１０ｃ，１０ｄは各々スプリンクラヘッド１１ａ，１１ｂ，１１ｃ，１１ｄに接続している。
【００２６】
感熱開放継手１は二次側接続口２２ａ，２２ｂ，２２ｃ，２２ｄが斜め上方を向いているため、図３に示すように二次配管１０ａ，１０ｂ，１０ｃ，１０ｄは野縁１３２を容易に避けてスプリンクラヘッド１１ａ，１１ｂ，１１ｃ，１１ｄに到達する。また、野縁１３２を避けているにもかかわらず、二次側接続口２２ａ，２２ｂ，２２ｃ，２２ｄの位置が高くならない。そのために感熱開放継手１が上下方向に長くならず、一次側接続口２１の位置も低くなる。したがって、天井裏上面１５への一次配管９の干渉が生じにくい。
【００２７】
実施の形態では感熱開放継手１は二次側接続口を４つ備えているが、１つでもよく、いくつでもよい。また実施の形態では、二次側接続口２２ａと，２２ｃ，及び２２ｂと，２２ｄは一次側接続口２１を中心としてそれぞれ対称に設けられている。消火剤の散布時に、消火剤の流れによって感熱開放継手１に加わる横方向の力が相殺されるため、このように対称に設けることが好ましいが、必ずしも対称でなくてもよい。また、複数設けた二次側接続口２２ａ〜２２ｄは全てが二次配管に接続されている必要はなく、一部は閉鎖部材により閉鎖されてもよい。
【００２８】
また、複数の第二軸がねじれの位置にあってもよいが、感熱開放継手を側面から見て第一軸の所定の位置で交差していることが好ましい。なお、実施形態のように複数の第二軸が第一軸の所定の位置で交差していなくてもよい。野縁１３２を避けるための角度として、第一軸と第二軸がなす角度は５０乃至７０度であることが好ましい。
【符号の説明】
【００２９】
１  感熱開放継手、２  本体部、２１  一次側接続口、２２ａ，２２ｂ，２２ｃ，２２ｄ  二次側接続口、２１０  第一軸、２２０ａ，２２０ｂ，２２０ｃ，２２０ｄ  第二軸、２３  フレーム挿入口、２４  弁座、３  弁体、３１  皿バネ、４  ピストン、５  グラスバルブ（感熱部）、６  固定ネジ、７  フレーム、７１  ピストン孔、７２  アーム、８  保護カバー、９  一次配管、１０ａ，１０ｂ，１０ｃ，１０ｄ  二次配管、１１ａ，１１ｂ，１１ｃ，１１ｄ  スプリンクラヘッド、１０１  感熱開放継手、１１１  一次側接続口、１１２  二次側接続口、１２０  感熱部、１３  天井、１３１  天井板、１３２  野縁、１５  天井裏上面
【図１】
0006498596.tif 000002
【図２】
0006498596.tif 000003
【図３】
0006498596.tif 000004
【図４】
0006498596.tif 000005